(57)【要約】【課題】  全方位から用紙を取り出すことができるようにする。【解決手段】  転写部１３において画像の転写された用紙Ｐが排紙される排紙部１５が装置本体１１の頂部に設けられてなるプリンタ１０において、排紙部１５は、排紙された用紙Ｐを受ける排紙トレイ２０を有し、排紙トレイ２０は、上位レベルＵ２における水平面内で垂直軸回りに略全方向に向けて回動可能に設けられているため、排紙位置に位置設定された状態の排紙トレイ２０に排紙された用紙Ｐを取り出すに際し、当該排紙トレイ２０を取り出す方向に向けることにより、プリンタ１０に対していずれの位置からでも用紙Ｐを、当該用紙Ｐが逆向きや横向きに等になっていない、いわゆる真っ直ぐな正姿勢で取り出すことがができる。【選択図】      図４
2006225118.tif 000002
【特許請求の範囲】
【請求項１】
画像の転写された用紙が排紙される排紙部を備えてなる画像形成装置において、
前記排紙部は、装置本体の頂部に設けられ、かつ、排紙された用紙を受ける排紙トレイを有し、
前記排紙トレイは、水平面内で垂直軸回りに略全方向に向けて回動可能に設けられ、かつ、排紙位置に位置設定された状態で排紙された用紙を受けるべく構成されていることを特徴とする画像形成装置。
【請求項２】
前記排紙トレイを回動させるトレイ回動手段と、このトレイ回動手段の回動角度を制御する制御手段とが設けられ、
前記制御手段は、用紙の前記排紙トレイに対する排紙の状況を判別する排紙判別部と、
所定の入力手段からの入力情報に基づき排紙トレイの前記排紙位置からの回動角度を判別する回動角度判別部と、
前記排紙判別部により用紙の排紙トレイへの排出が完了したと判別された後に前記回動角度判別部の判別結果に基づき排紙トレイを前記回動角度だけ回動させて回動位置に位置設定する制御信号を前記トレイ回動手段に向けて出力する制御信号出力部と
を備えていることを特徴とする請求項１記載の画像形成装置。
【請求項３】
前記排紙トレイ上の用紙の存否を検出する用紙センサが設けられ、
前記制御信号出力部は、回動位置に位置設定された排紙トレイから用紙が取り出されたことを示す前記用紙センサからの検出信号に基づき排紙トレイを排紙位置に戻す制御信号を出力することを特徴とする請求項２記載の画像形成装置。
【請求項４】
前記制御信号出力部は、前記排紙判別部が次の用紙の排紙を判別したとき排紙トレイを排紙位置に戻す制御信号を出力することを特徴とする請求項２記載の画像形成装置。
【請求項５】
前記排紙トレイは、トレイ回動手段の駆動力伝達が解除されることによりフリー回転が可能に構成されていることを特徴とする請求項２乃至４のいずれかに記載の画像形成装置。
【請求項６】
前記排紙部は、複数の前記入力手段に共用され、各入力手段は、それぞれ入力操作用の入力画面を備え
前記制御手段は、前記複数の入力手段の各々に対応した前記排紙トレイの排紙位置からの回動角度をテーブル化した角度テーブルを記憶する記憶部を有し、
前記排紙判別部は、排紙トレイに排紙される用紙がいずれの入力手段からのものであるかを判別し、
前記回動角度判別部は、前記排紙判別部の判別結果と前記角度テーブルとに基づき回動角度を判別し、
前記制御信号出力部は、前記回動角度判別部の判別結果に基づき排紙位置にある排紙トレイに対し排紙が完了した後に前記入力操作が行われた入力手段に対応した角度だけ当該排紙トレイを回動させる制御信号を前記トレイ回動手段に向けて出力することを特徴とする請求項２乃至５のいずれかに記載の画像形成装置。
【請求項７】
前記排紙トレイは、排紙位置より上位にレベル設定された状態で回動されることを特徴とする請求項１乃至６のいずれかに記載の画像形成装置。
【請求項８】
請求項１乃至８のいずれかに記載の画像形成装置であって、卓上に配置され得るようにサイズ設定されていることを特徴とする画像形成装置。
【発明の詳細な説明】
【技術分野】
【０００１】
本発明は、複写機やファクシミリ装置、さらにはプリンタ等として適用される画像形成装置に関するものであり、特に、転写処理が施された用紙が排紙される排紙部の改良に関するものである。
【背景技術】
【０００２】
従来、特許文献１および特許文献２に記載されているような画像形成装置が知られている。これらの画像形成装置は、いずれも、装置本体の頂部に設けられた原稿読取部と装置本体の胴部との間に転写処理済みの用紙を排紙する排紙部とが設けられた、いわゆる胴内排紙型と称されるものである。かかる胴内排紙型の画像形成装置にあっては、排紙トレイを装置本体から突出させる必要がなく、これによって画像形成装置の占有空間を小さくすることが可能であり、空間の有効利用の点で近年注目を浴びている。
【０００３】
しかしながら、用紙が胴内の排紙部に排紙されると、この排紙された用紙を排紙部から取り出すためには、胴内に手を差し入れなければならず、排紙部からの用紙の取り出しが困難になる。かかる不都合を解消するべく、特許文献１および２のものにあっては、排紙部に一隅部を回動支点とした回動自在の回動トレイを設け、普段は、当該回動トレイが胴内に収納された収納姿勢に姿勢設定される一方、排紙が行われた直後に回動トレイが所定角度回動されて一部が外部に突出した突出姿勢に姿勢変更されるようになっている。
【０００４】
このような回動トレイを設けることにより、胴内に排紙された用紙は、回動トレイの回動で外部に引き出された状態になるため、排紙部からの用紙の取り出しが容易になる。
【特許文献１】特開２００１−２０６６０９号公報
【特許文献２】特開２００３−５４８２０号公報
【発明の開示】
【発明が解決しようとする課題】
【０００５】
しかしながら、特許文献１および２記載の画像形成装置にあっては、排紙トレイは、単に胴内から外部に突出されるだけであるため回動範囲が極めて狭く、従って、排紙トレイの突出方向からは用紙の取り出しが容易になるが、反対方向からは一々回り込まなければ用紙を取り出すことができないという不都合が存在する。
【０００６】
本発明は、かかる不都合を解消するためになされたものであり、全方位から用紙を取り出すことができる排紙トレイを備えた画像形成装置を提供することを目的としている。
【課題を解決するための手段】
【０００７】
請求項１記載の発明は、画像の転写された用紙が排紙される排紙部を備えてなる画像形成装置において、前記排紙部は、装置本体の頂部に設けられ、かつ、排紙された用紙を受ける排紙トレイを有し、前記排紙トレイは、水平面内で垂直軸回りに略全方向に向けて回動可能に設けられ、かつ、排紙位置に位置設定された状態で排紙された用紙を受けるべく構成されていることを特徴とするものである。
【０００８】
かかる構成によれば、装置本体の頂部に設けられた排紙トレイは、水平面内で垂直軸回りに略全方向に向けて回動可能に設けられているため、排紙位置に位置設定された状態の排紙トレイに排紙された用紙を取り出すに際し、当該排紙トレイを取り出す方向に向けることにより、画像形成装置に対していずれの位置からでも用紙を正姿勢（取り上げた用紙が逆向きや横向きに等になっていない状態）で取り出すことが可能になる。
【０００９】
請求項２記載の発明は、請求項１記載の発明において、前記排紙トレイを回動させるトレイ回動手段と、このトレイ回動手段の回動角度を制御する制御手段とが設けられ、前記制御手段は、用紙の前記排紙トレイに対する排紙の状況を判別する排紙判別部と、所定の入力手段からの入力情報に基づき排紙トレイの前記排紙位置からの回動角度を判別する回動角度判別部と、前記排紙判別部により用紙の排紙トレイへの排出が完了したと判別された後に前記回動角度判別部の判別結果に基づき排紙トレイを前記回動角度だけ回動させて回動位置に位置設定する制御信号を前記トレイ回動手段に向けて出力する制御信号出力部とを備えていることを特徴とするものである。
【００１０】
かかる構成によれば、入力手段から排紙スタートや排紙方向等に係る所定の入力操作を行うことにより、排紙判別部が排紙トレイに対する排紙の状況（排紙が行われる前であるのか、排紙が行われつつある状態であるのか、排紙が完了した状態であるのか等）を判別し、この判別結果および排紙方向に関する入力情報に基づいて回動角度判別部が回動角度を判別し、制御信号出力部がこの回動角度判別部の判別結果に基づいた角度だけ排紙トレイを回動させるようにトレイ回動手段に向けて制御信号を出力するため、排紙トレイは用紙が排紙された後にトレイ回動手段の駆動によって所定の角度回動する。
【００１１】
このように、入力手段から制御手段に対し所定の入力を行うことにより、排紙トレイは、制御手段の制御によって入力情報に応じた角度だけ自動的に回動するため、一々手作業で排紙トレイを回動させる必要がなくなる。
【００１２】
なお、この発明において、入力手段からの入力情報には、オペレータが入力手段に対して例えばキーイン操作等の入力操作を行うことにより、排紙トレイの回動角度を直接入力する場合の入力情報や、複数の入力手段が存在する場合に、いずれの入力手段から入力操作が行われたかによって決まる角度情報等が含まれる。因みに、１台の画像形成装置に対して複数の入力手段を採用した場合には、１台の画像形成装置でありながら各入力手段毎に専用の画像形成装置を設けたのと同様の状況を実現させることができる。
【００１３】
請求項３記載の発明は、請求項２記載の発明において、前記排紙トレイ上の用紙の存否を検出する用紙センサが設けられ、前記制御信号出力部は、回動位置に位置設定された排紙トレイから用紙が取り出されたことを示す前記用紙センサからの検出信号に基づき排紙トレイを排紙位置に戻す制御信号を出力することを特徴とするものである。
【００１４】
かかる構成によれば、用紙が排紙され、かつ、排紙位置から回動位置に位置変更された排紙トレイ上に用紙が存在しないことを用紙センサが検出すると、制御信号出力部は、トレイ回動手段に向けて制御信号を出力し、これによって回動位置に位置設定されていた排紙トレイが排紙位置に戻ることになる。このように、用紙センサの検出結果に基づいて回動位置に位置設定されていた排紙トレイが自動的に排紙位置に戻ることになる。
【００１５】
請求項４記載の発明は、請求項２記載の発明において、前記制御信号出力部は、前記排紙判別部が次の用紙の排紙を判別したとき排紙トレイを排紙位置に戻す制御信号を出力することを特徴とするものである。
【００１６】
かかる構成によれば、排紙判別部が次の用紙の排紙を判別したとき制御信号出力部が排紙トレイを排紙位置に戻す制御信号を出力するため、たとえ排紙トレイ上の用紙が取り出されていなくても、次の排紙があるときは先に排紙された用紙の上に次の用紙が排紙される。
【００１７】
請求項５記載の発明は、請求項２乃至４のいずれかに記載の発明において、前記排紙トレイは、トレイ回動手段の駆動力伝達が解除されることによりフリー回転が可能に構成されていることを特徴とするものである。
【００１８】
かかる構成によれば、トレイ回動手段の駆動力伝達を解除することにより、排紙トレイは、フリー回転が可能になるため手操作で任意の回動位置に設定される。因みにこの発明において駆動力伝達解除には、トレイ回動手段への電力供給を遮断することが含まれる。
【００１９】
請求項６記載の発明は、請求項２乃至５のいずれかに記載の発明において、前記制御手段は、前記複数の入力手段の各々に対応した前記排紙トレイの排紙位置からの回動角度をテーブル化した角度テーブルを記憶する記憶部を有し、前記排紙判別部は、排紙トレイに排紙される用紙がいずれの入力手段からのものであるかを判別し、前記回動角度判別部は、前記排紙判別部の判別結果と前記角度テーブルとに基づき回動角度を判別し、前記制御信号出力部は、前記回動角度判別部の判別結果に基づき排紙位置にある排紙トレイに対し排紙が完了した後に前記入力操作が行われた入力手段に対応した角度だけ当該排紙トレイを回動させる制御信号を前記トレイ回動手段に向けて出力することを特徴とするものである。
【００２０】
かかる構成によれば、複数の入力手段のいずれかから入力操作が行われると、排紙判別部は、排紙トレイに排紙される用紙がいずれの入力手段からのものであるかを判別し、この判別結果および記憶部が記憶している角度テーブルに基づいて回動角度判別部がその入力手段に対応した排紙トレイの回動角度を判別すると共に、判別された回動角度になるように制御信号出力部がトレイ回動手段に向けて制御信号を出力するため、排紙トレイは、その入力手段に対応した角度の回動位置に自動的に設定される。従って、特に入力手段から排紙トレイの回動角度を一々入力するような面倒な操作を行うことなく、入力手段を使用することだけでその入力手段に対応した排紙トレイの回動角度が設定される。
【００２１】
請求項７記載の発明は、請求項１乃至６のいずれかに記載の発明において、前記排紙トレイは、排紙位置より上位にレベル設定された状態で回動されることを特徴とするものである。
【００２２】
かかる構成によれば、排紙トレイは、排紙位置より上位にレベル設定された状態で回動されるため、用紙の排紙位置と同一高さレベルのまま排紙トレイの回動操作を行うと排紙トレイが周りの各種の部材と干渉して回動し得なくなるという不都合が解消され、これによって用紙の排紙と排紙トレイの回動との双方が同一高さレベルで行われる場合に比較し、排紙および回動の双方がよりスムーズに行われる。
【００２３】
請求項８記載の発明は、請求項１乃至８のいずれかに記載の画像形成装置であって、卓上に配置され得るようにサイズ設定されていることを特徴とするものであるである。
【００２４】
かかる構成によれば、例えば、複数の作業テーブルが２列で向かい合わせに配設された状態で卓上に配置され得るサイズに設定された画像形成装置をこれらテーブル列の中央に配置することにより、各作業テーブルで作業する作業者が、排紙トレイを自分向けに回動させることで１台の画像形成装置をあたかも自分専用のもののように使用することが可能になる。
【発明の効果】
【００２５】
請求項１記載の発明によれば、装置本体の頂部に設けられた排紙トレイは、水平面内で垂直軸回りに略全方向に向けて回動可能に設けられ、これによって排紙トレイに排紙された用紙を取り出すに際し、当該排紙トレイを取り出す方向に向けることにより、画像形成装置に対していずれの位置からでも用紙を真っ直ぐな正姿勢（取り上げた用紙Ｐが横向きや逆向き等になっていない正しい向きになっている用紙の姿勢）で取り出すことができる。
【００２６】
従って、用紙トレイから取り出した用紙が、横向きになっていたり上下逆転した状態になっているようなことがないため、取り出した用紙の方向を一々確認する必要がなく、その分事務作業の効率化に貢献することができるばかりか、用紙の誤った位置にステープル処理を施してしまうような不都合の発生を確実に防止することができる。
【００２７】
請求項２記載の発明によれば、入力手段から制御手段に対し所定の入力を行うことにより、排紙トレイは、入力情報に基づく制御手段の制御によって入力情報に応じた角度だけ自動的に回動するため、一々手作業で排紙トレイを回動させる必要がなくなり、その分事務作業の効率化に貢献することができる。
【００２８】
請求項３記載の発明によれば、用紙センサの検出結果に基づいて回動位置に位置設定されていた排紙トレイが自動的に排紙位置に戻るため、排紙トレイを一々手作業で元に戻す必要がなくなり、かつ、次の排紙に即座に対応させることができる。
【００２９】
請求項４記載の発明によれば、たとえ排紙トレイ上の用紙が取り出されていなくても、次の排紙があるときは回動位置に位置設定されていた排紙トレイが排紙位置に自動的に位置変更し、これによって先に排紙された用紙の上に次の用紙が排紙されるため、何らかの事情で排紙トレイ上の排紙が取り出されていないことにより次の排紙が行われなくなるような不都合の発生を防止することができる。
【００３０】
請求項５記載の発明によれば、トレイ回動手段の駆動力伝達を解除することにより、排紙トレイはフリー回転が可能になるため、排紙トレイを手操作で任意の回動位置に設定することができ、これによって排紙トレイの使い勝手をさらに良好なものにすることができる。
【００３１】
請求項６記載の発明によれば、複数の入力手段が１台の画像形成装置に接続された状態において、排紙トレイは、入力操作を行った入力手段に対応する角度の回動位置に自動的に設定されるため、特に入力手段から排紙トレイの回動角度を一々入力するような面倒な操作を行うことなく、入力手段を使用することだけでその入力手段に対応した排紙トレイの回動角度が設定され、これによって各入力手段における共用された排紙トレイの回動位置設定操作の操作性を大幅に向上させることができる。
【００３２】
請求項７記載の発明によれば、排紙トレイは、排紙位置より上位にレベル設定された状態で回動されるため、用紙の排紙と排紙トレイの回動との双方が同一高さレベルで行われる場合に比較し、排紙および回動の双方をよりスムーズに行うことができる。
【００３３】
請求項８記載の発明によれば、画像形成装置が卓上に配置され得るようにサイズ設定されているため、例えば、複数の作業テーブルが２列で向かい合わせに配設された状態で卓上に配置され得るサイズに設定された画像形成装置をこれらテーブル列の中央に配置することにより、各作業テーブルで作業する作業者が、排紙トレイを自分向けに回動させることで１台の画像形成装置をあたかも自分専用のもののように使用することができ、設備コストの低減化に貢献した上で各作業者の満足度を上昇させることができる。
【発明を実施するための最良の形態】
【００３４】
以下、本発明に係る画像形成装置についてプリンタを例に挙げて説明する。図１および図２は、本発明に係るプリンタの一実施形態を示す外観斜視図であり、図１は、排紙トレイがトレイ収納凹部に収納された状態、図２は、排紙トレイがトレイ収納凹部から突出した状態をそれぞれ示している。また、図３は、図１および図２に示すプリンタの内部構造の一実施形態を示す正面断面視の説明図である。なお、図１〜図３においてＸ−Ｘ方向を左右方向、Ｙ−Ｙ方向を前後方向といい、特に−Ｘ方向を左方、＋Ｘ方向を右方、−Ｙ方向を前方、＋Ｙ方向を後方という。
【００３５】
まず、図１および図２に示すように、プリンタ（画像形成装置）１０は、例えばコンピュータに接続されて当該コンピュータの印刷出力を担うものであり、直方体状を呈した装置本体１１内に画像形成用の各種の機器が装着されることによって構成されている。装置本体１１の頂面を形成する天板１１１の中央位置には平面視で長方形状を呈したトレイ収納凹部１１２が凹設され、このトレイ収納凹部１１２に出没可能に排紙トレイ２０が収納されている。
【００３６】
トレイ収納凹部１１２の左側壁１１３には、印刷処理済みの用紙Ｐを排紙するための前後方向に長尺の排紙口１１３ａ設けられ、装置本体１１内での画像形成処理に基づく印刷処理が施された用紙Ｐは、この排紙口１１３ａを通って排紙トレイ２０上に排紙されるようになっている。
【００３７】
また、天板１１１におけるトレイ収納凹部１１２の前方位置には各種の操作キーやＬＣＤ（ｌｑｕｉｄ  ｃｒｙｓｔａｌ  ｄｉｓｐｌａｙ（液晶ディスプレイ））等が設けられた操作パネル１１４が配設されている。また、装置本体１１には、その略下半分に印刷用の用紙を貯留する用紙カセット１２１が内装されている。かかる用紙カセット１２１は、装置本体１１の前面板１１５側から装置本体１１に対して挿脱自在になっている。
【００３８】
前記排紙トレイ２０は、平面寸法がトレイ収納凹部１１２の平面寸法より若干小さめの矩形状に設定され、左方の第１トレイ２１と右方の第２トレイ２２とに２分割されている。かかる排紙トレイ２０は、後述するトレイ駆動機構３０，３０′（図４、図６）の駆動により昇降および回動可能に構成され、トレイ収納凹部１１２に収納された排紙位置である下位レベルＵ１（図１）と、後述する垂直軸３１回りに回動可能にトレイ収納凹部１１２から上方に突出した回動可能位置である上位レベルＵ２（図２）との間でレベル変更し得るようになっている。
【００３９】
前記下位レベルＵ１は、排紙トレイ２０が排紙口１１３ａから排紙された用紙Ｐを受けるための位置であり、上位レベルＵ２は、排紙トレイ２０上に排紙された用紙Ｐを取り出し易くするための位置である。そして、排紙トレイ２０がトレイ収納凹部１１２に収納された下位レベルＵ１に位置設定されている状態では、図１に示すように、第２トレイ２２が水平になっているのに対し、第１トレイ２１は、左方に向かって先下がりに傾斜した傾斜姿勢Ｓ１に姿勢設定され、これによって左側壁１１３の排紙口１１３ａから排紙トレイ２０上に一旦排紙された用紙Ｐを傾斜に沿って左方に案内し、その下流端を左側壁１１３に当止させて用紙Ｐの束の端揃えを行い得るようになされている。
【００４０】
これに対し、排紙トレイ２０がトレイ収納凹部１１２から外部に突出した上位レベルＵ２に位置設定されている状態では、図２に示すように、第１トレイ２１が水平姿勢Ｓ２に姿勢変更されている。そして、排紙トレイ２０は、上位レベルＵ２に位置設定された状態で後述するトレイ回動手段５０の駆動により垂直軸３１（図４）回りに予め指示された角度だけ回動可能になっている。このようにされるのは、プリンタ１０を利用した人の居る位置によってその人が、排紙された用紙Ｐを正姿勢（取り上げた用紙Ｐが横向きや逆向き等になっていない正しい向きになっている姿勢）で取り上げることができるようにするためである。
【００４１】
以下、このようなプリンタ１０の内部構造の概要について説明する。プリンタ１０は、図３に示すように、印刷処理に供する用紙Ｐを貯留する用紙貯留部１２と、この用紙貯留部１２に貯留された用紙束Ｐ１から繰り出された１枚ずつの用紙Ｐに対して画像の転写処理を施す転写部１３と、この転写部１３で転写処理の施された用紙Ｐに対して定着処理を施す定着部１４とが装置本体１１に内装されていると共に、定着部１４で定着処理の施された用紙Ｐが排紙される排紙部１５が装置本体１１の頂部に設けられることによって構成されている。
【００４２】
前記用紙貯留部１２には、所定数（本実施形態では２つ）の用紙カセット１２１が装置本体１１に対して挿脱自在に設けられている。各用紙カセット１２１の下流端（図３の右方）には、用紙束Ｐ１から１枚ずつの用紙Ｐを繰り出させるピックアップローラ１２２が設けられている。このピックアップローラ１２２の駆動によって用紙カセット１２１から繰り出された用紙Ｐは、給紙搬送路１２３およびこの給紙搬送路１２３の下流端に設けられたレジストローラ対１２４を介して転写部１３に給紙されるようになっている。
【００４３】
前記転写部１３は、コンピュータ等（本実施形態においては後述のＰＣ９０（図８））から電送された画像情報に基づき用紙Ｐに転写処理を施すものであり、前後方向（図３の紙面と直交する方向）に延びるドラム心回りに回転可能に設けられた感光体ドラム１３１の周面に、当該感光体ドラム１３１の直上位置から時計方向に向けて帯電器１３２、露光装置１３３、現像装置１３４、搬送ベルト１３５、転写ローラ１３６、クリーニング装置１３７および除電器１３８が配設されることによって形成されている。
【００４４】
前記感光体ドラム１３１は、周面に静電潜像およびこの静電潜像に沿ったトナー像を形成させるためのものであり、周面にアモルファスシリコン層が積層され、これによってこれらの像を形成させるのに適したものになっている。
【００４５】
前記帯電器１３２は、ドラム心回り時計方向に回転している感光体ドラム１３１の周面に一様な電荷を形成させるものであり、図３に示す例では、コロナ放電によって感光体ドラム１３１の周面に電荷を付与する方式が採用されている。なお、感光体ドラム１３１の周面に電荷を付与する部材として帯電器１３２に代えて周面が感光体ドラム１３１の周面と当接しながら従動回転しつつ電荷を付与する帯電ローラを採用してもよい。
【００４６】
前記露光装置１３３は、コンピュータ等の外部の機器から電送されてきた画像データに基づき強弱の付与されたレーザー光を回転している感光体ドラム１３１の周面に照射し、これによる感光体ドラム１３１周面のレーザー光が照査された部分の電荷の消去によって当該感光体ドラム１３１の周面に静電潜像を形成させるものである。
【００４７】
前記現像装置１３４は、感光体ドラム１３１の周面にトナーを供給することによって当該周面における静電潜像が形成された部分にトナーを付着させ、これによって感光体ドラム１３１の周面にトナー像を形成させるものである。
【００４８】
前記搬送ベルト１３５は、給紙搬送路１２３からレジストローラ対１２４を介して給紙された用紙Ｐを感光体ドラム１３１の直下位置に導くものであり、レジストローラ対１２４の左方に隣設された駆動ローラ１３５ａと、感光体ドラム１３１の下部左方位置に設けられた従動ローラ１３５ｂとの間に張設されている。かかる搬送ベルト１３５が駆動ローラ１３５ａの駆動で用紙Ｐの給紙と同期して周回することにより、用紙Ｐが感光体ドラム１３１の直下位置へ向けて送り込まれるようになっている。
【００４９】
前記転写ローラ１３６は、搬送ベルト１３５の周回によって感光体ドラム１３１の直下位置に送り込まれた用紙Ｐに対して感光体ドラム１３１の周面に形成されているプラスに帯電したトナー像を用紙Ｐに転写させるものであり、トナー像の電荷と逆極性であるマイナスの電荷を用紙Ｐに付与するようになっている。
【００５０】
従って、感光体ドラム１３１の直下位置に到達した用紙Ｐは、搬送ベルト１３５を介して転写ローラ１３６と感光体ドラム１３１とによって押圧挟持されつつ、プラスに帯電した感光体ドラム１３１周面のトナー像がマイナスに帯電した用紙Ｐの表面に向けて引き剥がされ、これによって用紙Ｐに対し転写処理が施されることになる。
【００５１】
前記クリーニング装置１３７は、転写処理後の感光体ドラム１３１の周面に残留しているトナーを取り除いて清浄化するためのものである。また、前記除電器１３８は、感光体ドラム１３１の周面に残留している電荷を、光線の照射で消去するものであり、この除電器１３８によって電荷が消去された感光体ドラム１３１の周面は、次の画像形成処理のために再び帯電器１３２へ向かうことになる。
【００５２】
前記定着部１４は、転写部１３によって転写処理の施された用紙Ｐのトナー像に加熱による定着処理を施すものであり、内部に通電発熱体が装着されたヒートローラ１４１と、このヒートローラ１４１の下部で周面同士が対向配置された加圧ローラ１４２とを備えて構成されている。そして、転写処理後の用紙Ｐは、ローラ心回りに時計方向に向けて駆動回転しているヒートローラ１４１と、ローラ心回りに反時計方向に向けて従動回転している加圧ローラ１４２との間のニップ部を通過することによって、ヒートローラ１４１からの熱を得て定着処理が施されるようになっている。定着処理の施された用紙Ｐは、排紙搬送路１４３を通って排紙部１５へ排出されることになる。
【００５３】
前記排紙部１５は、装置本体１１の頂部に形成された前記トレイ収納凹部１１２に、前記排紙トレイ２０と、この排紙トレイ２０を駆動するトレイ駆動機構３０とが設けられることによって形成されている。排紙トレイ２０は、第１トレイ２１と、第２トレイ２２とを備えて構成されていることについては前述のとおりである。
【００５４】
第１トレイ２１の右端縁と第２トレイ２２の左端縁とには、互いに羽交い構造（図４参照）の蝶板部２３が形成され、この蝶板部２３に前後方向へ向けて連結軸２４が貫通されている。そして、第１トレイ２１は、連結軸２４回りに正逆回動することによって、図３に実線で示す第２トレイ２２から左方に向けて先下がりに傾斜した傾斜姿勢Ｓ１と、同二点差線で示す水平姿勢Ｓ２との間で姿勢変更し得るようになっている。
【００５５】
以下、図４および図５を基に第１実施形態に係るトレイ駆動機構３０について説明する。図４は、第１実施形態に係るトレイ駆動機構３０を説明するための排紙部１５の部分拡大斜視図である。また、図５は、そのＡ−Ａ線断面図であり、（イ）は、第１トレイ２１が傾斜姿勢Ｓ１に姿勢設定された状態の排紙トレイ２０が下位レベルＵ１にレベル設定された状態、（ロ）は、第１トレイ２１が水平姿勢Ｓ２に姿勢設定された状態の排紙トレイ２０が上位レベルＵ２にレベル設定された状態をそれぞれ示している。なお、図４および図５におけるＸおよびＹによる方向表示（Ｘが左右方向（−Ｘ：左方、＋Ｘ：右方）、Ｙが前後方向（−Ｙ：前方、＋Ｙ：後方））は図１の場合と同様である。
【００５６】
図４および図５に示すように、第１実施形態のトレイ駆動機構３０は、前記排紙トレイ２０を排紙位置である下位レベルＵ１とこの下位レベルより上位の回動可能位置である上位レベルＵ２との間で昇降させるトレイ昇降手段４０と、前記排紙トレイ２０を水平面内で回動させるトレイ回動手段５０と、第１トレイ２１を傾斜姿勢Ｓ１と水平姿勢Ｓ２との間で姿勢変更させるトレイ傾動手段６０とを備えて構成されている。
【００５７】
前記トレイ昇降手段４０は、排紙トレイ２０の略中央部（具体的には第２トレイ２２の前後方向の中央部における左端部）を支持する角柱状のラック柱４１と、このラック柱４１のラック４１１に噛合するピニオン４２と、このピニオン４２と軸心回りに一体回転するピニオン軸４２１に同心で外嵌されたウォームホイール４３と、このウォームホイール４３に噛合するウォーム４４と、このウォーム４４を軸心回りに駆動回転させる昇降モータ４５とを備えて構成されている。
【００５８】
かかるトレイ昇降手段４０は、トレイ収納凹部１１２の底板１１６に配設された台座４６に装着されている。台座４６は、水平に配された台座平板４６１と、この台座平板４６１の両端部からそれぞれ垂下された一対の台座側板４６２と、各台座側板４６２の下端縁部から互いに反対方向に向けて突設された一対の突設片４６３とからなっている。
【００５９】
前記台座平板４６１の中心位置には、内縁面に全周に亘って等ピッチで形成された複数の回り止め歯を有する歯付き孔４６１ａが穿設されている。この歯付き孔４６１ａは、回り止め状態で垂直軸３１の後述するスプライン軸５１に外嵌させるためのものである。
【００６０】
前記台座側板４６２は、平面視で台座平板４６１の中心位置を曲率中心とする円弧状に形成されている。かかる台座側板４６２から外方に向かって突設された各突設片４６３も同様に円弧状に形成されている。
【００６１】
一方、底板１１６の上面には、前記一対の突設片４６３を嵌め込んで案内するための円形ガイド部材１６が固定されている。この円形ガイド部材１６は、前記歯付き孔４６１ａの中心に対向した位置を中心とする直径が台座平板４６１の長さ寸法より若干長めの真円形状に形成され、底板１１６に密着固定されるフランジ部１６１と、このフランジ部１６１の内周縁から上方に向かって突設された扁平筒部１６２と、この扁平筒部１６２の上縁部から中心に向かって延設された抜止め円部１６３とを備えて構成されている。
【００６２】
そして、前記一対の突設片４６３が抜止め円部１６３と底板１１６との間に形成された円形ガイド溝１６４に嵌め込まれることによって、台座４６が円形ガイド溝１６４に案内されつつ抜止め状態でその中心回りに回転し得るようになっている。かかる円形ガイド部材１６が設けられるのは、台座４６の浮き上がりを防止するためである。
【００６３】
前記ラック柱４１は、前記底板１１６の略中央位置に昇降可能に立設された垂直軸３１の上方部分に形成されている。本実施形態においては、かかるラック柱４１の右面にラック４１１が形成されている。
【００６４】
前記ピニオン４２は、ピニオン軸４２１が、台座平板４６１に立設された一対の軸受け片４６１ｂに軸支された状態でラック柱４１のラック４１１に噛合されている。従って、ピニオン４２がピニオン軸４２１回りに正逆一体回転することにより、当該ピニオン４２にラック４１１が噛合したラック柱４１が昇降することになる。なお、第２トレイ２２の裏面側には前後方向に延びる補強梁材２５が固定され、ラック柱４１の上端がこの補強梁材２５に固定されている。
【００６５】
前記ウォーム４４は、ウォームホイール４３の下方でピニオン軸４２１と直交するように配設されている。かかるウォーム４４は、基端側が昇降モータ４５の駆動軸に同心で一体に連結された状態でウォームホイール４３に噛合されている。昇降モータ４５は、台座平板４６１に設けられたモータ支持台４６１ｃ上に固定され、これによって必要な高さレベルが確保されている。
【００６６】
このように構成されたトレイ昇降手段４０によれば、昇降モータ４５を正逆駆動することにより、この駆動回転はウォーム４４を介してウォームホイール４３に伝達され、このウォーム４４の軸心回りの一体回転によってウォームホイール４３が正逆回転し、これによるピニオン４２のピニオン軸４２１回りの正逆回転によってピニオン４２と噛合しているラック柱４１が昇降する。そして、このラック柱４１の昇降によって、当該ラック柱４１に補強梁材２５を介して支持されている排紙トレイ２０が下位レベルＵ１（図５の（イ））と上位レベルＵ２（図５の（ロ））との間でレベル変更することになる。
【００６７】
前記トレイ回動手段５０は、前記垂直軸３１の中央部分に同心で形成されたスプライン軸５１と、このスプライン軸５１に噛合する駆動ギヤ５２と、トレイ収納凹部１１２の底板１１６上に据え付けられ、駆動軸が同心で駆動ギヤ５２のギヤ軸５２１に一体回転可能に連結された回動モータ５３とを備えて構成されている。
【００６８】
前記スプライン軸５１は、相対的に上下動可能に台座平板４６１の前記歯付き孔４６１ａに内嵌され、これによってスプライン軸５１が軸心回りに回転すると、台座４６がスプライン軸５１と一体回転すると共に、排紙トレイ２０もラック柱４１を介して一体回転するようになっている。従って、排紙トレイ２０とトレイ昇降手段４０とは、常に同一位相に位置することになり、トレイ昇降手段４０の排紙トレイ２０を昇降させる機能が排紙トレイ２０の回転によって影響されることがない。
【００６９】
そして、スプライン軸５１より下部の部分には、同心で下方に向けて延設された円柱体３１１が設けられている一方、トレイ収納凹部１１２の底板１１６には円柱体３１１を貫通させる貫通孔１１６ａが穿設されている。従って、垂直軸３１は、そのスプライン軸５１が台座平板４６１の歯付き孔４６１ａに嵌入されていると共に、円柱体３１１が底板１１６の貫通孔１１６ａに嵌入されていることによる上下２個所での支持により立設状態が安定するようになっている。
【００７０】
前記トレイ傾動手段６０は、周面が第１トレイ２１の裏面に当接した円弧カム６１と、この円弧カム６１のカム軸６１１に同心で一体的に外嵌された従動ギヤ６２と、この従動ギヤ６２と噛合する当該従動ギヤ６２より小径の駆動ギヤ６３と、駆動軸がこの駆動ギヤ６３に同心で一体的に連結された傾動モータ６４とを備えて構成されている。前記円弧カム６１は、カム軸６１１が円弧カム６１の曲率中心位置を一体的に貫通した状態で前後方向に延びるように補強梁材２５の左方位置に配設されている。
【００７１】
かかるトレイ傾動手段６０は、補強梁材２５の左縁面に固定された支持フレーム６５に装着されている。前記支持フレーム６５は、上縁部が補強梁材２５に固定された垂直板６５１と、この垂直板６５１の下縁部から図４における左方に延設された水平板６５２と、これら垂直板６５１および水平板６５２の各端部に架設された前後方向一対の側板６５３とからなっている。そして、前記カム軸６１１は、一対の側板６５３間に軸心回りに回転可能に架設されていると共に、前記傾動モータ６４は、水平板６５２上に据え付けられている。
【００７２】
前記円弧カム６１は、正面視で円弧形状を呈した円弧部６１２と、カム軸６１１と平行に形成された平面部６１３とを備えている。かかる円弧カム６１は、円弧部６１２の周面が第１トレイ２１の裏面に当接した状態で、第１トレイ２１が、図５の（ロ）に示すように、水平姿勢Ｓ２に姿勢設定される一方、平面部６１３が第１トレイ２１の裏面に当接されることによって、図５の（イ）に示す（図４には二点鎖線で示している）ように、第１トレイ２１が傾斜姿勢Ｓ１に姿勢設定されるべく設置位置が設定されている。
【００７３】
かかるトレイ傾動手段６０によれば、図５の（イ）に示すように（図４では二点差線で示すように）、第１トレイ２１が傾斜姿勢Ｓ１に姿勢設定された状態、すなわち第１トレイ２１の裏面が円弧カム６１の平面部６１３に当接された状態で、傾動モータ６４を反時計方向に駆動することにより、この駆動が駆動ギヤ６３、従動ギヤ６２およびカム軸６１１を介して円弧カム６１に伝達され、これによって円弧カム６１はカム軸６１１回りに時計方向に回転することになる。この回転によって平面部６１３の左側の縁部が第１トレイ２１を持ち上げていくため、第１トレイ２１が連結軸２４回りに時計方向に回動する。そして、円弧カム６１の円弧部６１２が第１トレイ２１の裏面に当接した状態になると、第１トレイ２１は、図５の（ロ）に示すように、水平姿勢Ｓ２に姿勢設定された状態になる。
【００７４】
なお、水平姿勢Ｓ２に姿勢設定された第１トレイ２１を元の傾斜姿勢Ｓ１に戻すには、傾動モータ６４を時計方向に駆動すればよい。こうすることによって第１トレイ２１の円弧カム６１に対する当接状態が円弧部６１２から平面部６１３に順次移っていき、平面部６１３が第１トレイ２１の裏面と面接触した時点で第１トレイ２１は傾斜姿勢Ｓ１に姿勢設定されることになる。
【００７５】
ついで、図６および図７を基に第２実施形態に係るトレイ駆動機構３０′について説明する。図６は、第２実施形態に係るトレイ駆動機構３０′を説明するための排紙部１５の部分拡大斜視図である。また、図７は、そのＢ−Ｂ線断面図であり、（イ）は、第１トレイ２１が傾斜姿勢Ｓ１に姿勢設定された状態の排紙トレイ２０が下位レベルＵ１にレベル設定された状態、（ロ）は、第１トレイ２１が水平姿勢Ｓ２に姿勢設定された状態の排紙トレイ２０が上位レベルＵ２にレベル設定された状態をそれぞれ示している。なお、図６および図７におけるＸおよびＹによる方向表示（Ｘが左右方向（−Ｘ：左方、＋Ｘ：右方）、Ｙが前後方向（−Ｙ：前方、＋Ｙ：後方））は図１の場合と同様である。
【００７６】
第２実施形態においては、トレイ駆動機構３０′がトレイ昇降手段４０′と、トレイ回動手段５０′と、トレイ傾動手段６０′とを構成要素としている点については第１実施形態のトレイ駆動機構３０と軌を一にしているが、各構成要素の具体的な構成が第１実施形態のものと相違している。
【００７７】
まず、第２実施形態のトレイ昇降手段４０′は、上下方向に延びるように配設されたスパイラルロッド４７と、このスパイラルロッド４７が螺着されるナット部材４８と、このナット部材４８が固定された直方体状の筐体４９と、駆動軸４５１が同心で前記スパイラルロッド４７に一体的に連結された昇降モータ４５′とを備えて構成されている。
【００７８】
前記昇降モータ４５′は、トレイ収納凹部１１２の底板１１６の略中央位置に縦置きで据え付けられ、かかる昇降モータ４５′の駆動軸４５１の上端に前記スパイラルロッド４７が同心で一体に連結されている。また、前記ナット部材４８は、筐体４９の底板４９１の下面略中央位置に、ナット孔が上下方向に延びた状態で固定されている。また、スパイラルロッド４７は、ナット部材４８に螺着された状態で底板４９１を貫通し、筐体４９内にまで侵入している。
【００７９】
そして、前記排紙トレイ２０は、第２トレイ２２が先第１実施形態の補強梁材２５に対応する断面視でＬ字形状を呈した補強部材２６と、この補強部材２６の下部に配設されたスラストベアリング２７（図７）とを介して筐体４９に支持されている。因みに、前記補強部材２６は、水平板前後方向に延びる水平板２６１と、この水平板２６１の左縁部から垂下した垂直板２６２とからなり、水平板２６１が前後方向に延びた状態で第２トレイ２２の左縁部下面に固定されている。
【００８０】
一方、トレイ収納凹部１１２の底板１１６には、筐体４９の昇降を案内するためのアングル材からなる４本のガイド部材１１７が立設されている。これらのガイド部材１１７は、筐体４９の４つの角部４９２を内角部分でそれぞれ覆うように立設位置が設定され、これによって筐体４９は、回り止め状態でこれらのガイド部材１１７に案内されつつ昇降し得るようになっている。
【００８１】
かかるトレイ昇降手段４０′によれば、昇降モータ４５′を正逆駆動することにより、スパイラルロッド４７が軸心回りに正逆回転し、これによって当該スパイラルロッド４７に螺着している回り止め状態のナット部材４８が昇降するため、当該ナット部材４８に支持された筐体４９が回り止め状態でガイド部材１１７に案内されつつ昇降し、これによってスラストベアリング２７および補強部材２６の水平板２６１を介して当該水平板２６１と一体の第２トレイ２２が下位レベルＵ１（図７の（イ））と上位レベルＵ２（図７の（ロ））との間で昇降することになる。
【００８２】
つぎに、第２実施形態のトレイ回動手段５０′は、上下方向に延びるように前記筐体４９に内装された回動筒体５４と、この回動筒体５４に同心で一体的に外嵌された従動ギヤ５５と、この従動ギヤ５５に噛合する当該従動ギヤ５５より小径の駆動ギヤ５６と、駆動軸がこの駆動ギヤ５６のギヤ軸５６１と同心で連結された回動モータ５３′とを備えて構成されている。回動モータ５３′は、筐体４９の底板４９１上に縦置きで据え付けられている。
【００８３】
前記回動筒体５４は、筐体４９の天板４９３を相対回転可能に貫通し、かつ、前記スラストベアリング２７を貫通した状態でその上端部が補強部材２６の水平板２６１に固定されている。かかる回動筒体５４には、筐体４９の底板４９１を貫通したスパイラルロッド４７の上部が相対回転可能に内嵌されている。
【００８４】
かかるトレイ回動手段５０′によれば、回動モータ５３′を正逆駆動することにより、この正逆駆動は、駆動ギヤ５６およびこれに噛合した従動ギヤ５５に伝達され、これによって従動ギヤ５５と一体の回動筒体５４が筒心回りに正逆回動することになる。この回動筒体５４は、スラストベアリング２７を貫通した状態で補強部材２６の水平板２６１に固定されているため、当該回動筒体５４が正逆回動することによる補強部材２６の正逆回動で補強部材２６と一体の排紙トレイ２０が正逆回動することになる。
【００８５】
従って、トレイ昇降手段４０′により排紙トレイ２０をトレイ収納凹部１１２から抜け出させた状態で、回動モータ５３′を所定の方向に向けて所定時間だけ駆動回転させた後、当該駆動を停止することにより、排紙トレイ２０を所望の回動位置に位置設定させることができる。
【００８６】
つぎに、第２実施形態のトレイ傾動手段６０′は、補強部材２６に装着されるソレノイド部材６６と、排紙トレイ２０の第１トレイ２１に固定され、かつ、ソレノイド部材６６の駆動によって操作される操作アーム６７とを備えて構成されている。
【００８７】
前記ソレノイド部材６６は、内部に電磁コイルである図略のソレノイドが内装されたソレノイド本体６６１と、このソレノイド本体６６１内のソレノイドに貫通された状態で先端側がソレノイド本体６６１から突出した鉄心６６２と、この鉄心６６２の外部に突出した部分に外嵌された状態で当該鉄心６６２を突出させる方向に付勢するコイルスプリング６６３とを備えて構成されている。前記ソレノイド本体６６１は、鉄心６６２が左右方向に延びた状態で補強部材２６の垂直板２６２の左面側に固定されている。
【００８８】
従って、ソレノイドに電流が供給されない状態で鉄心６６２は、コイルスプリング６６３の付勢力によって左方への突出量が大きくなっている（図７の（ロ））一方、ソレノイドに電流が供給されることにより、鉄心６６２は、コイルスプリング６６３の付勢力に抗してソレノイド本体６６１内に引き入れられる（図７の（イ））ようになっている。
【００８９】
前記操作アーム６７は、第１トレイ２１の裏面側における前記鉄心６６２に対応した位置から下方に向けて突設されている。かかる操作アーム６７の下端部には、上下方向に延び、かつ、前後方向に貫通した長孔６７１が穿設されている一方、前記鉄心６６２の先端には、この長孔６７１に対応した連結突起６６４が設けられ、この連結突起６６４が長孔６７１に摺接状態で嵌め込まれることによって鉄心６６２と操作アーム６７とが互いに連結されるようになっている。
【００９０】
かかるトレイ傾動手段６０′によれば、第１トレイ２１が、図７の（ロ）に示すように水平姿勢Ｓ２に姿勢設定された状態で、ソレノイド本体６６１のソレノイドに電流が供給されることにより、当該ソレノイドが励磁して鉄心６６２をコイルスプリング６６３の付勢力に抗してソレノイド本体６６１内に引き入れるため、連結突起６６４を介して鉄心６６２に連結された操作アーム６７が連結軸２４回りに反時計方向に向けて回動し、これによって操作アーム６７と一体の第１トレイ２１が、図７の（イ）に示す傾斜姿勢Ｓ１に姿勢変更される。
【００９１】
逆に傾斜姿勢Ｓ１に姿勢設定された第１トレイ２１を水平姿勢Ｓ２に戻すに際しては、ソレノイド本体６６１のソレノイドへの電流供給を遮断すればよい。こうすることによって、鉄心６６２は、コイルスプリング６６３の付勢力によって左方に向けて突出するため、鉄心６６２に連結突起６６４を介して連結された操作アーム６７が連結軸２４回りに時計方向に向けて回動し、これによって操作アーム６７と一体の第１トレイ２１が、図６に実線で示す水平姿勢Ｓ２に戻される。
【００９２】
そして、このようなトレイ駆動機構３０，３０′を備えた本発明に係るプリンタ１０においては、用紙Ｐが排紙口１１３ａから排紙されるに際しては、図１に示すように、第１トレイ２１が傾斜姿勢Ｓ１に姿勢設定された状態の排紙トレイ２０が下位レベルＵ１にレベル設定されることによってトレイ収納凹部１１２内に収納された状態とされる。
【００９３】
一方、一旦１ジョブの印刷操作が終了して下位レベルＵ１にレベル設定された排紙トレイ２０上に用紙束Ｐ１が形成されると、まず、トレイ傾動手段６０，６０′の駆動によって第１トレイ２１が傾斜姿勢Ｓ１から水平姿勢Ｓ２に姿勢変更された上で、トレイ昇降手段４０，４０′の駆動により排紙トレイ２０が下位レベルＵ１から上位レベルＵ２にまで上昇される。
【００９４】
そして、排紙トレイ２０が上位レベルＵ２にレベル設定された状態で、トレイ回動手段５０，５０′が駆動され、これによって排紙トレイ２０は、予め設定された回動位置、あるいは１ジョブの排紙毎に指定される回動位置に向けて垂直軸３１（図４）または回動筒体５４（図６）回りに回動されるようになされている。
【００９５】
従って、本発明のプリンタ１０によれば、ユーザーは、トレイ収納凹部１１２内から外部に突出した排紙トレイ２０上の用紙Ｐを常に正姿勢（取り上げた用紙が逆向きや横向きに等になっていない状態）で取り上げることができるため、従来のようにトレイ収納凹部１１２内に手を差し入れて用紙Ｐを取り上げる場合に比較し、排紙トレイ２０からの用紙の取り上げがスムーズになり、印刷作業の効率化に貢献することができる。
【００９６】
図８は、本発明に係るプリンタ１０の一使用形態を示す平面視のレイアウト図であり、（イ）は、排紙トレイ２０がホームポジションである下位レベル（排紙位置）Ｕ１（または上位レベルＵ２）に位置設定された状態、（ロ）は、排紙トレイ２０が第１デスクＤ１に向かって第１回動位置Ｔ１に位置設定された状態、（ハ）は、排紙トレイ２０が第２デスクＤ２に向かって第２回動位置Ｔ２に位置設定された状態、（ニ）は、排紙トレイ２０が第３デスクＤ３に向かって第３回動位置Ｔ３に位置設定された状態、（ホ）は、排紙トレイ２０が第４デスクＤ４に向かって第４回動位置Ｔ４に位置設定された状態をそれぞれ示している。なお、図８におけるＸおよびＹによる方向表示（Ｘが左右方向（−Ｘ：左方、＋Ｘ：右方）、Ｙが前後方向（−Ｙ：前方、＋Ｙ：後方））は、図１の場合と同様である。
【００９７】
この使用形態においては、４台の事務用のデスクＤ（第１〜第４デスクＤ１，Ｄ２，Ｄ３，Ｄ４）が平面視で「田」の字を形成するように集合配置され、第１デスクＤ１が左下に、第２デスクＤ２が右下に、第３デスクＤ３が右上に、第４デスクＤ４が左上にそれぞれ配置設定されている。そして、このように集合配置された第１〜第４デスクＤ１，Ｄ２，Ｄ３，Ｄ４の中央位置に本発明に係るプリンタ１０が、正面（用紙カセット１２１（図１）が見える面）を前方に向けて据え付けられている。
【００９８】
かかるデスクＤおよびプリンタ１０の配置において、各デスクＤ１，Ｄ２，Ｄ３，Ｄ４には、ＰＣ（パーソナルコンピュータ）９０がそれぞれ配置されている。因みに、第１デスクＤ１には第１ＰＣ９１が、第２デスクＤ２には第２ＰＣ９２が、第３デスクＤ３には第３ＰＣ９３が、第４デスクＤ４には第４ＰＣ９４がそれぞれ配置されている。
【００９９】
各ＰＣ（入力手段）９０は、キーボード９０１やマウス９０２等の入力機器を有していると共に、表示手段あるいは出力手段としてのＬＣＤ９０３を備え、ＬＣＤ９０３を視認しながらキーボード９０１やマウス９０２を用いて各種の入力処理を行うようになっている。なお、図８においては、第１ＰＣ９１についてのみ、キーボード９０１、マウス９０２およびＬＣＤ９０３を示しているが、第２〜第４ＰＣ９２〜９４についてはこれらの図示を省略している。
【０１００】
そして、各ＰＣ９１，９２，９３，９４は、それぞれ信号線によってプリンタ１０と接続され、キーボード９０１やマウス９０２を操作することによる信号線を介した各ＰＣ９１，９２，９３，９４からの指令信号によってプリンタ１０が印刷処理を実行するようになっている。
【０１０１】
プリンタ１０が前記指令信号に基づいて印刷処理を行うときは、排紙トレイ２０は、図８に黒丸で示す第１トレイ２１の第２トレイ２２側の端部と反対側の端部（基準端部Ｚという）が左に向いた状態とされ、この状態でトレイ収納凹部１１２内に嵌り込んだ下位レベルＵ１にレベル設定されている（図８の（イ））。
【０１０２】
そして、プリンタ１０における１ジョブの印刷処理が完了し、そのジョブにおける最後の用紙Ｐが排紙トレイ２０へ排紙されたことが確認されると、排紙トレイ２０は、まず傾斜姿勢Ｓ１（図１）であった第１トレイ２１が水平姿勢Ｓ２に姿勢変更された後に下位レベルＵ１から上位レベルＵ２にまで上昇され、引き続き前記指令信号を発信したＰＣ９０のあるデスクＤに向かって回動するようになっている。
【０１０３】
排紙トレイ２０の回動位置については、図８の（ロ）に示す第１回動位置Ｔ１と、図８の（ハ）に示す第２回動位置Ｔ２と、図８の（ハ）に示す第３回動位置Ｔ３と、図８の（ニ）に示す第３回動位置Ｔ３と、図８の（ホ）に示す第４回動位置Ｔ４とが設定されている。
【０１０４】
そして、第１回動位置Ｔ１は、排紙トレイ２０が基準位置Ｔ０（排紙トレイ２０の基準端部Ｚが左方に向いた図８の（イ）に示す位置）から反時計方向に向けて４５°回動した位置であり、第２回動位置Ｔ２は、排紙トレイ２０が基準位置Ｔ０から反時計方向に１３５°回動した位置であり、第３回動位置Ｔ３は、排紙トレイ２０が基準位置Ｔ０から反時計方方向に２２５°回動した位置であり、第４回動位置Ｔ４は、排紙トレイ２０が基準位置Ｔ０から反時計方向に３１５°回動した位置である。
【０１０５】
なお、排紙トレイ２０が反時計方向にのみ回動するように説明したが、これは単なる説明上の都合でこのように説明しただけであり、実際は、最短の回動角度で目的位置まで回動される。具体的には、基準位置Ｔ０にある排紙トレイ２０が第４回動位置Ｔ４に向かうときは、時計方向に向けて４５°回動される。また、基準位置Ｔ０に位置した排紙トレイ２０が第３回動位置Ｔ３に向かうときは、時計方向に向けて１３５°回動される。その後、排紙トレイ２０上の用紙束Ｐ１が取り去られると、排紙トレイ２０は、元の基準位置Ｔ０に戻って次のジョブの印刷処理に備えられる。
【０１０６】
排紙トレイ２０がこのような動作を行うことにより、各デスクＤ１，Ｄ２，Ｄ３，Ｄ４で仕事をしているユーザーが、使用しているＰＣ９０からプリンタ１０に向けて印刷指令を出力することにより、印刷処理が完了した用紙束Ｐ１を搭載した排紙トレイ２０が、基準端部Ｚを手前にしてそのユーザーに向き合った状態になるため、当該ユーザーは、手を延ばして用紙束Ｐ１を排紙トレイ２０上から取り去るだけで用紙束Ｐ１は自ずと正姿勢になっており、従って、排紙トレイ２０から取り去った用紙Ｐの姿勢を確認して横向きや反対向きのときにそれを正しい向きに変えるなどの面倒な作業を行う必要がなくなり、印刷作業の効率化に貢献することができる。
【０１０７】
以下、このような排紙トレイ２０の位置制御について図９を基に説明する。図９は、排紙トレイ２０の位置制御の一実施形態を示すブロック図である。プリンタ１０には、マイクロコンピュータからなる制御手段７０が設けられ、プリンタ１０は、全般的な動作がこの制御手段７０によって制御されるようになされているが、特に排紙トレイ２０の位置制御に関し抽出して図９に示している。
【０１０８】
すなわち、制御手段７０は、中央演算処理装置としてのＣＰＵ（ｃｅｎｔｒａｌ  ｐｒｏｃｅｓｓｉｎｇ  ｕｎｉｔ）７１と、このＣＰＵ７１に付設された読み取り専用の記憶装置であるＲＯＭ（ｒｅａｄ  ｏｎｌｙ  ｍｅｍｏｒｙ）７２と、ＣＰＵ７１に付設され一時的に発生する各種のデータを対象として読み書き自在に構成されたＲＡＭ（ｒａｎｄｏｍ  ａｃｃｅｓｓ  ｍｅｍｏｒｙ）７３とを備えた基本構成を有している。
【０１０９】
前記ＣＰＵ７１は、用紙Ｐの排紙トレイ２０に対する排紙の状況を判別する排紙判別部７１１と、排紙トレイ２０の基準位置（排紙位置）Ｔ０からの回動角度を判別する回動角度判別部７１２と、トレイ昇降手段４０，４０′、トレイ回動手段５０，５０′およびトレイ傾動手段６０，６０′へ向けて制御信号を出力する制御信号出力部７１３とを備えている。
【０１１０】
前記排紙判別部７１１には、各ＰＣ９１，９２，９３，９４から印刷処理を行うための指令信号が入力されるようになっており、この指令信号を受けた排紙判別部７１１は、その指令信号がいずれのＰＣ９０からのものであるかを判別し、この判別結果を回動角度判別部７１２へ向けて出力するようになっている。なお、排紙判別部７１１によるこの判別は、各ＰＣ９１，９２，９３，９４毎に付与されている識別信号によって行われる。この識別信号は、印刷処理の指令信号に乗せられた状態でＰＣ９０から排紙判別部７１１へ向けて出力されるようになっている。
【０１１１】
前記回動角度判別部７１２は、排紙判別部７１１の判別結果に基づき、判別された印刷処理を要求しているＰＣ９０に対応した排紙トレイ２０の基準位置Ｔ０からの回動角度を判別するようになっている。この判別のために、前記ＲＯＭ（記憶部）７２には、各ＰＣ９１，９２，９３，９４毎の回動方向および回動角度がテーブル方式で記憶されており、回動角度判別部７１２は、このテーブルを参照することによって排紙トレイ２０の回動方向および回動角度を得るようになっている。
【０１１２】
前記角度テーブルには、例えば以下のようなデータが記憶されている。
・第１デスクＤ１：回動方向→反時計方向、回動角度→４５°
・第２デスクＤ２：回動方向→反時計方向、回動角度→１３５°
・第３デスクＤ３：回動方向→時計方向、回動角度→４５°
・第４デスクＤ４：回動方向→時計方向、回動角度→１３５°
このようなテーブルを参照して回動方向および回動角度を判別した回動角度判別部７１２は、この判別結果を制御信号出力部７１３へ向けて出力するようになっている。
【０１１３】
前記制御信号出力部７１３は、回動角度判別部７１２から入力された判別結果に基づき、排紙が完了した状態の排紙トレイ２０を回動させるべく、プリンタ１０へ向けて制御信号を出力するようになっている。
【０１１４】
因みに、どの時点で制御信号出力部７１３が制御信号を出力するかについては、ＰＣ９０から排紙判別部７１１へ入力される、前記指令信号に付加された印刷情報（１ジョブにおける印刷部数およびスタートキーを操作（マウス９０２による印刷実行のクリックを含む）した時点）に基づき排紙判別部７１１が判別するようになっている。
【０１１５】
この判別のために、ＲＡＭ７３にはタイマ７３１が設けられ、排紙判別部７１１は、ＰＣ９０から指令信号が入力された時点を始点として当該排紙に要する時間（排紙時間）を計算し、このタイマ７３１による計時が排紙時間を過ぎた時点に制御信号出力部７１３に向けて制御信号出力開始の指令信号を出力するようになっている。
【０１１６】
前記制御信号出力部７１３は、回動角度判別部７１２からの回動角度の信号を受けた後、排紙判別部７１１からの制御信号出力開始の指令信号が入力されると同時に、まず、トレイ傾動手段６０，６０′に向けて（第１実施形態の場合は、トレイ傾動手段６０の傾動モータ６４に向けて、第２実施形態の場合はトレイ傾動手段６０′のソレノイド部材６６に向けて）傾斜姿勢Ｓ１に姿勢設定されている第１トレイ２１を水平姿勢Ｓ２に姿勢変更するための制御信号を出力するようになっている。
【０１１７】
そして、第１トレイ２１は、トレイ傾動手段６０，６０′がこの制御信号を受けることによる所定の動作で傾斜姿勢Ｓ１（図１）から水平姿勢Ｓ２（図２）に姿勢変更し、これによって排紙トレイ２０は平らになる。
【０１１８】
ついで、第１トレイ２１が水平姿勢Ｓ２に姿勢設定された後、制御信号出力部７１３は、トレイ昇降手段４０，４０′の昇降モータ４５，４５′に向けて制御信号を出力するようになっている。かかる制御信号が出力されることによる昇降モータ４５，４５′の正駆動により、排紙トレイ２０は、下位レベルＵ１から上位レベルＵ２へ向けて上昇し、これによって排紙トレイ２０はトレイ収納凹部１１２から上方へ抜け出し、水平面内で回動可能状態になる。
【０１１９】
この状態で、制御信号出力部７１３は、トレイ回動手段５０，５０′の回動モータ５３，５３′に向けて排紙トレイ２０を水平面内で回動させるための制御信号を出力するようになっている。この場合、制御信号出力部７１３は、タイマ７３１を参照しながら回動角度判別部７１２から入力された回動角度に基づく時間だけ制御信号を出力するようになされており、従って、排紙トレイ２０は、印刷処理を要求したＰＣ９０が設けられているデスクＤに向くことになる。
【０１２０】
そして、ユーザーが排紙された用紙Ｐ（または用紙束Ｐ１）を排紙トレイ２０上から取り去ると、排紙トレイ２０は、元の排紙位置に戻るようになされている。ユーザーが排紙トレイ２０から用紙Ｐを取り去ったことを検出するために、本実施形態においては、排紙トレイ２０の適所に、例えば光りセンサからなる用紙センサ８０が設けられ、この用紙センサ８０からの用紙Ｐが取り去られたことを示す検出信号が制御信号出力部７１３へ入力されるようになっている。
【０１２１】
そして、制御信号出力部７１３は、用紙センサ８０からの検出信号が入力されると、まず、トレイ回動手段５０，５０′の回動モータ５３，５３′に向けて排紙トレイ２０を基準位置Ｔ０に戻すための制御信号を出力するようになっている。この制御信号を受けた回動モータ５３，５３′は、所定の回動位置に到達するに要した時間と同一時間だけ最初と逆駆動され、これによって排紙トレイ２０は基準位置Ｔ０（図８の（イ））に戻されることになる。
【０１２２】
引き続き制御信号出力部７１３は、トレイ昇降手段４０，４０′の昇降モータ４５，４５′に向けて最初と逆駆動させる制御信号を出力する。これによる昇降モータ４５，４５′の逆駆動で上位レベルＵ２（図２）にレベル設定されていた排紙トレイ２０は、下位レベルＵ１にまで下降することになる。
【０１２３】
ついで、制御信号出力部７１３は、トレイ傾動手段６０，６０′に向けて（第１実施形態の場合はトレイ傾動手段６０の傾動モータ６４に向けて、第２実施形態の場合はトレイ傾動手段６０′のソレノイド部材６６に向けて）制御信号を出力し、傾動モータ６４またはソレノイド部材６６を最初と逆駆動させるようになっている。これによる第１トレイ２１の水平姿勢Ｓ２から傾斜姿勢Ｓ１への姿勢変更によって、排紙トレイ２０は、図１および図８の（イ）に示すように、再び印刷済みの用紙Ｐの排紙を受けることができる初期状態に戻ることになる。
【０１２４】
以上詳述したように、本発明にかかるプリンタ１０は、転写部１３において画像の転写された用紙Ｐが排紙される排紙部１５が装置本体１１の頂部に設けられてなるものであり、排紙部１５は、排紙された用紙Ｐを受ける排紙トレイ２０を有し、排紙トレイ２０は、上位レベルＵ２における水平面内で垂直軸（第１実施形態における垂直軸３１、第２実施形態における回動筒体５４）回りに略全方向に向けて回動可能に設けられているため、排紙位置に位置設定された状態の排紙トレイ２０に排紙された用紙Ｐを取り出すに際し、当該排紙トレイ２０を取り出す方向に向けることにより、プリンタ１０に対していずれの位置からでも用紙Ｐを、当該用紙Ｐが逆向きや横向きに等になっていない、いわゆる真っ直ぐな正姿勢で取り出すことがができる。
【０１２５】
従って、用紙トレイから取り出した用紙Ｐが、横向きになっていたり上下逆転した状態になっているようなことがないため、取り出した用紙Ｐの方向を一々確認する必要がなく、その分事務作業の効率化に貢献することができるばかりか、用紙Ｐの誤った位置にステープル処理を施してしまうような不都合の発生を確実に防止することができる。
【０１２６】
また、プリンタ１０には、排紙トレイ２０を回動させるトレイ回動手段５０，５０′と、このトレイ回動手段５０，５０′の回動角度を制御する制御手段７０とが設けられ、制御手段７０は、用紙Ｐの排紙トレイ２０に対する排紙の状況を判別する排紙判別部７１１と、ＰＣ９０からの入力情報に基づき排紙トレイ２０の基準位置（排紙位置）Ｔ０からの回動角度を判別する回動角度判別部７１２と、排紙判別部７１１により用紙Ｐの排紙トレイ２０への排出が完了したと判別された後に回動角度判別部７１２の判別結果に基づき排紙トレイ２０を予め設定された回動角度だけ回動させて所定の回動位置（上記の実施形態においては第１〜第４回動位置Ｔ１〜Ｔ４）に位置設定する制御信号をトレイ回動手段５０，５０′に向けて出力する制御信号出力部７１３とを備えている。
【０１２７】
かかる構成によれば、ＰＣ９０からキーボード９０１やマウス９０２を用いて印刷処理や用紙Ｐの排紙方向等に係る所定の入力操作を行うことにより（因みに、上記の実施形態においては、いずれのＰＣ９０が使用されたかで排紙トレイ２０の回動角度が自動的に決められる）、排紙判別部７１１が排紙トレイ２０に対する排紙の状況を判別し、この判別結果および排紙方向に関する入力情報に基づいて回動角度判別部７１２が回動角度を判別し、制御信号出力部７１３がこの回動角度判別部７１２の判別結果に基づいた角度だけ回動するようにトレイ回動手段５０，５０′に向けて制御信号を出力するため、排紙トレイ２０は用紙Ｐが排紙された後にトレイ回動手段５０，５０′の駆動によって所定の角度回動する。
【０１２８】
このように、ＰＣ９０から制御手段７０に対し所定の入力を行うことにより、排紙トレイ２０は、入力情報に基づく制御手段７０の制御によって入力情報に応じた角度だけ自動的に回動するため、一々手作業で排紙トレイ２０を回動させる必要がなくなり、その分事務作業の効率化に貢献することができる。
【０１２９】
そして、上記の実施形態においては、排紙トレイ２０上の用紙Ｐの存否を検出する用紙センサ８０が設けられ、制御信号出力部７１３は、回動位置に位置設定された排紙トレイ２０から用紙Ｐが取り出されたことを示す用紙センサ８０からの検出信号に基づき排紙トレイ２０を基準位置Ｔ０に戻す制御信号を出力するようになっている。
【０１３０】
従って、用紙Ｐが排紙され、かつ、基準位置Ｔ０から所定の回動位置（本実施形態においては第１〜第４回動位置Ｔ１〜Ｔ４のいずれか）に位置変更された排紙トレイ２０上に用紙Ｐが存在しないことを用紙センサ８０が検出すると、制御信号出力部７１３は、トレイ回動手段５０，５０′に向けて制御信号を出力し、これによって回動位置に位置設定されていた排紙トレイ２０が排紙位置に戻るため、排紙トレイ２０を一々手作業で元に戻す必要がなくなり、その分事務作業効率が向上すると共に、次の排紙に即座に対応させることができる。
【０１３１】
そして、上記の実施形態においては、プリンタ１０が複数のＰＣ９０に共用されているため、１台のプリンタ１０で複数のＰＣ９０に対応させることができ、装置コストの低減化に貢献することができる。また、各ＰＣ９０は、それぞれ入力操作用の入力画面であるＬＣＤ９０３を備えているため、ＰＣ９０毎の排紙に際しそれぞれの入力画面を介して排紙情報を入力することでＰＣ９０毎の排紙トレイ２０の最適回動位置を設定することが可能になり（因みに上記の実施形態においては、排紙トレイ２０の回動角度は自動的に設定される）、これによって１台のプリンタ１０でありながら各ＰＣ９０毎に専用のプリンタ１０を設けた場合と同様の状況を実現させることができる。
【０１３２】
また、排紙トレイ２０の回動角度を制御する制御手段７０は、複数のＰＣ９０の各々に対応した排紙トレイ２０の基準位置Ｔ０からの回動角度をテーブル化した角度テーブルを記憶する記憶部としてのＲＯＭ７２を有し、排紙判別部７１１は、排紙トレイ２０に排紙される用紙ＰがいずれのＰＣ９０からのものであるかを判別し、回動角度判別部７１２は、排紙判別部７１１の判別結果と角度テーブルとに基づき回動角度を判別し、制御信号出力部７１３は、回動角度判別部７１２の判別結果に基づき排紙位置にある排紙トレイ２０に対し排紙が完了した後に入力操作が行われたＰＣ９０に対応した角度だけ当該排紙トレイ２０を回動させる制御信号をトレイ回動手段５０，５０′に向けて出力するようになされている。
【０１３３】
かかる構成によれば、複数のＰＣ９０のいずれかから入力操作が行われると、排紙判別部７１１は、排紙トレイ２０に排紙される用紙ＰがいずれのＰＣ９０からのものであるかを判別し、この判別結果およびＲＯＭ７２が記憶している角度テーブルに基づいて回動角度判別部７１２がそのＰＣ９０に対応した排紙トレイ２０の回動角度を判別すると共に、判別された回動角度になるように制御信号出力部７１３がトレイ回動手段５０，５０′に向けて制御信号を出力するため、排紙トレイ２０は、そのＰＣ９０に対応した角度の回動位置に自動的に設定される。従って、特にＰＣ９０から排紙トレイ２０の回動角度を一々入力するような面倒な操作を行うことなく、ＰＣ９０を使用することだけでそのＰＣ９０に対応した排紙トレイ２０の回動角度が設定され、これによって各ＰＣ９０における共用された排紙トレイ２０の回動位置設定操作の操作性を大幅に向上させることができる。
【０１３４】
また、上記の実施形態においては、排紙トレイ２０は、下位レベルＵ１の排紙位置より上位の上位レベルＵ２にレベル設定された状態で回動されるようになされているため、用紙Ｐの排紙位置と同一高さレベルのまま排紙トレイ２０の回動操作を行うと排紙トレイ２０が周りの各種の部材と干渉して回動し得なくなるという不都合が解消され、これによって用紙Ｐの排紙と排紙トレイ２０の回動との双方が同一高さレベルで行われる場合に比較し、排紙および回動の双方をよりスムーズに行うことができる。
【０１３５】
そして、プリンタ１０は、デスクＤ上に配置され得るようにサイズ設定されているため、図８に示すように、複数の作業テーブルが２列で向かい合わせに配設された状態で卓上に配置され得るサイズに設定されたプリンタ１０をこれらテーブル列の中央に配置することにより、各作業テーブルで作業する作業者が、排紙トレイ２０を自分向けに回動させることで１台のプリンタ１０をあたかも自分専用のもののように使用することができ、設備コストの低減化に貢献した上で各作業者の満足度を上昇させることができる。
【０１３６】
本発明は上記の実施形態に限定されるものではなく、以下の内容をも包含するものである。
【０１３７】
（１）上記の実施形態においては、画像形成装置としてプリンタ１０が採用されているが、本発明は、画像形成装置がプリンタ１０であることに限定されるものではなく、原稿を読み取るためのスキャナーを備えた複写機としての機能を有する、いわゆる複合機であってもよい。
【０１３８】
（２）上記の実施形態においては、プリンタ１０は、図８に例示するように、複数台のＰＣ９０に接続されているが、本発明は、プリンタ１０を複数のＰＣ９０に接続することに限定されるものではなく、プリンタ１０を１台のＰＣ９０にのみ接続するようにしてもよい。プリンタ１０を１台のＰＣ９０にのみ接続した場合であっても、例えば、印刷処理設定のための入力者と、排紙された用紙Ｐを受け取る者とが異なる場合など、排紙トレイ２０を用紙Ｐの受取者に向かわせることが可能であり、官庁等における資料請求の受付業務および資料の支給業務等の合理化に貢献することができる。
【０１３９】
（３）上記の実施形態においては、所定の回動角度に設定された排紙トレイ２０から用紙Ｐが取り去られたことを用紙センサ８０が検出した後に当該排紙トレイ２０を基準位置Ｔ０に戻すようになされているが、こうする代わりに、制御信号出力部７１３は、排紙判別部７１１が次の用紙Ｐの排紙を判別したとき排紙トレイ２０を排紙位置に戻す制御信号を出力するようしてもよい。こうすることによって、たとえ排紙トレイ２０上の用紙Ｐが取り出されていなくても、次の排紙があるときは回動位置に位置設定されていた排紙トレイ２０が排紙位置に自動的に位置変更し、これによって先に排紙された用紙Ｐの上に次の用紙Ｐが排紙されるため、何らかの事情で排紙トレイ２０上の排紙が取り出されていないことにより次の排紙が行われなくなるような不都合の発生を防止することができる。
【０１４０】
（４）上記の実施形態においては、排紙トレイ２０を下位レベルＵ１と上位レベルＵ２との間で昇降可能とし、排紙トレイ２０が基準位置Ｔ０でかつ下位レベルＵ１にレベル設定されているときにのみ当該排紙トレイ２０に用紙Ｐを排紙し、その後排紙トレイ２０を上位レベルＵ２に上昇させてから回動させるようにしているが、同一高さレベルで排紙トレイ２０への排紙と、排紙トレイ２０の回動とを行い得るように構成すれば、特にトレイ昇降手段４０，４０′およびトレイ傾動手段６０，６０′を設ける必要がなくなり、その分装置コストの低減化に貢献することができる。
【０１４１】
（５）上記の第２実施形態においては、コイルスプリング６６３が鉄心６６２の引き入れ方向に付勢されているが、こうする代わりにコイルスプリング６６３が鉄心６６２を突出させる方向に向けて付勢させるものであってもよい。
【０１４２】
（６）上記の第１実施形態のトレイ傾動手段６０を第２実施形態に適用してもよいし、第２実施形態のトレイ傾動手段６０′を第１実施形態に適用してもよい。
【０１４３】
（７）上記の実施形態においては、排紙トレイ２０上の用紙Ｐの存否を検出するための用紙センサ８０として光センサが採用されているが、本発明は用紙センサ８０が光センサであることに限定されるものではなく、例えば、用紙Ｐが排紙トレイ２０上に存在することにより当該用紙Ｐの重みでストライカーが操作する、いわゆるストライカー方式のセンサ（リミットスイッチ）を採用してもよい。
【０１４４】
（８）上記の実施形態においては、各ＰＣ９１，９２，９３，９４が信号線でプリンタ１０と接続されているが、信号線としてオフィス内やビルディング内等の比較的狭い範囲に設置されたコンピュータ同士を互いに接続してデータの遣り取りを行うようにしたネットワークシステムである、いわゆるＬＡＮ（ｌｏｃａｌ  ａｒｅａ  ｎｅｔｗｏｒｋ）のＬＡＮケーブルを利用してもよい。
【０１４５】
（９）上記の実施形態において、排紙トレイ２０の回動中心の芯となる部分（第１実施形態においては、ラック柱４１、第２実施形態においては回動筒体５４）に、所定のクラッチ手段を設け、このクラッチ手段をオフすることによって排紙トレイ２０の回動を昇降モータ４５，４５′から縁切り状態とし、これによって排紙トレイ２０をフリー回転し得るように構成してもよい。こうすることによって、トレイ回動手段５０，５０′への駆動力伝達が解除された状態で、排紙トレイ２０はフリー回転が可能になるため、排紙トレイを手操作で任意の回動位置に設定することができ、これによって排紙トレイ２０の使い勝手をさらに良好なものにすることができる。
【０１４６】
（１０）上記の実施形態においては、転写部１３に用紙Ｐを感光体ドラム１３１へ向けて搬送するための搬送ベルト１３５が設けられているが、本発明は、転写部１３に搬送ベルト１３５を設けることに限定されるものではなく、用紙Ｐを、転写ローラ１３６と感光体ドラム１３１との間に直接送り込むようにしてもよい。
【図面の簡単な説明】
【０１４７】
【図１】本発明に係るプリンタの一実施形態を示す外観斜視図であり、排紙トレイがトレイ収納凹部に収納された状態を示している。
【図２】図１に示すプリンタの排紙トレイがトレイ収納凹部から突出した状態を示す斜視図である。
【図３】図１および図２に示すプリンタの内部構造の一実施形態を示す正面断面視の説明図である。
【図４】第１実施形態に係るトレイ駆動機構を説明するための排紙部の部分拡大斜視図である。
【図５】図４に示すトレイ駆動機構のＡ−Ａ線断面図であり、（イ）は、第１トレイが傾斜姿勢に姿勢設定された状態の排紙トレイが下位レベルにレベル設定された状態、（ロ）は、第１トレイが水平姿勢に姿勢設定された状態の排紙トレイが上位レベルにレベル設定された状態をそれぞれ示している。
【図６】第２実施形態に係るトレイ駆動機構を説明するための排紙部の部分拡大斜視図である。
【図７】図６に示すトレイ駆動機構のＢ−Ｂ線断面図であり、（イ）は、第１トレイが傾斜姿勢に姿勢設定された状態の排紙トレイが下位レベルにレベル設定された状態、（ロ）は、第１トレイが水平姿勢に姿勢設定された状態の排紙トレイが上位レベルにレベル設定された状態をそれぞれ示している。
【図８】本発明に係るプリンタの一使用形態を示す平面視のレイアウト図であり、（イ）は、排紙トレイがホームポジションである下位レベル（排紙位置）に位置設定された状態、（ロ）は、排紙トレイが第１デスクに向かって第１回動位置に位置設定された状態、（ハ）は、排紙トレイが第２デスクに向かって第２回動位置に位置設定された状態、（ニ）は、排紙トレイが第３デスクに向かって第３回動位置に位置設定された状態、（ホ）は、排紙トレイが第４デスクに向かって第４回動位置に位置設定された状態をそれぞれ示している。
【図９】排紙トレイの位置制御の一実施形態を示すブロック図である。
【符号の説明】
【０１４８】
１０  プリンタ（画像形成装置）
１１  装置本体                １１１  天板
１１２  トレイ収納凹部        １１３  左側壁
１１３ａ  排紙口              １１４  操作パネル
１１５  前面板                １１６  底板
１１７  ガイド部材            １２  用紙貯留部
１２１  用紙カセット          １２２  ピックアップローラ
１２３  給紙搬送路            １２４  レジストローラ対
１３  転写部                  １３１  感光体ドラム
１３２  帯電器                １３３  露光装置
１３４  現像装置              １３５  搬送ベルト
１３６  転写ローラ            １３７  クリーニング装置
１３８  除電器                １４  定着部
１４１  ヒートローラ          １４２  加圧ローラ
１４３  排紙搬送路            １５  排紙部
１６  円形ガイド部材          １６１  フランジ部
１６２  扁平筒部              １６３  抜止め円部
１６４  円形ガイド溝          ２０  排紙トレイ
２１  第１トレイ              ２２  第２トレイ
２３  蝶板部                  ２４  連結軸
２５  補強梁材                ２６  補強部材
２６１  水平板                ２６２  垂直板
２７  スラストベアリング      ３０，３０′  トレイ駆動機構
３１  垂直軸                  ３１１  円柱体
４０，４０′  トレイ昇降手段  ４１  ラック柱
４１１  ラック                ４２  ピニオン
４２１  ピニオン軸            ４３  ウォームホイール
４４  ウォーム                ４５，４５′  昇降モータ
４６  台座                    ４６１  台座平板
４６１ａ  歯付き孔            ４６１ｂ  軸受け片
４６１ｃ  モータ支持台        ４６２  台座側板
４６３  突設片                ４７  スパイラルロッド
４８  ナット部材              ４９  筐体
４９１  底板                  ４９２  角部
４９３  天板
５０，５０′  トレイ回動手段  ５１  スプライン軸
５２  駆動ギヤ                ５２１  ギヤ軸
５３  回動モータ              ５４  回動筒体
５５  従動ギヤ                ５６  駆動ギヤ
５６１  ギヤ軸                ６０，６０′  トレイ傾動手段
６１  円弧カム                ６１１  カム軸
６１２  円弧部                ６１３  平面部
６２  従動ギヤ                ６３  駆動ギヤ
６４  傾動モータ              ６５  支持フレーム
６５１  垂直板                ６５２  水平板
６５３  側板                  ６６  ソレノイド部材
６６１  ソレノイド本体        ６６２  鉄心
６６３  コイルスプリング      ６６４  連結突起
６７  操作アーム              ６７１  長孔
７０  制御手段                ７１  ＣＰＵ
７１１  排紙判別部            ７１２  回動角度判別部
７１３  制御信号出力部        ７２  ＲＯＭ（記憶部）
７３  ＲＡＭ                  ７３１  タイマ
８０  用紙センサ              ９０  ＰＣ（入力手段）
９０１  キーボード            ９０２  マウス
９０３  ＬＣＤ                ９１〜９４  第１〜第４ＰＣ
Ｄ  デスク                    Ｄ１〜Ｄ４  第１〜第４デスク
Ｓ１  傾斜姿勢                Ｓ２  水平姿勢
Ｔ０  基準位置（排紙位置）    Ｔ１〜Ｔ４  第１〜第４回動位置
Ｕ１  下位レベル（排紙位置）  Ｕ２  上位レベル
Ｚ  基準端部
【図１】
2006225118.tif 000003
【図２】
2006225118.tif 000004
【図３】
2006225118.tif 000005
【図４】
2006225118.tif 000006
【図５】
2006225118.tif 000007
【図６】
2006225118.tif 000008
【図７】
2006225118.tif 000009
【図８】
2006225118.tif 000010
【図９】
2006225118.tif 000011